(57)【要約】【課題】配線盤のコネクタ部のように狭隘な場所に表示具を取り付ける場合に、表示具による煩雑さを回避できるようにする。【解決手段】識別対象となる光ファイバコード１００に取り付けられ、当該光ファイバコード１００の識別標識を表示する表示具において、識別標識を表記される表示札１１と、表示札１１に連結され、当該表示札１１に復元力を加える巻入器１２と、巻入器１２の復元力により、表示札１１を内部に収納するケース１３と、ケース１３を光ファイバコード１００に取り付ける取付バンド１４とを備え、識別標識を表示する場合は、表示札１１がケース１３から外部に引き出され、識別標識を表示しない場合は、表示札１１がケース１３の内部に収納されるものである。【選択図】        図２
2008164829.tif 000002
【特許請求の範囲】
【請求項１】
識別対象となる目的物に取り付けられ、当該目的物の識別標識を表示する表示具において、
前記識別標識を表記される表示札部と、
前記表示札部に連結され、当該表示札部に復元力を加える復元機構部と、
前記復元機構部の復元力により、前記表示札部を内部に収納する収納部と、
前記収納部を前記目的物に取り付ける取付部とを備え、
前記識別標識を表示する場合は、前記表示札部が前記収納部から外部に引き出され、
前記識別標識を表示しない場合は、前記表示札部が前記収納部の内部に収納されることを特徴とする表示具。
【請求項２】
前記復元機構部は、
前記表示札部を前記収納部に巻き入れる弾性体を有することを特徴とする請求項１に記載の表示具。
【請求項３】
前記収納部は、
前記表示札部を収納できる長さを有し、
前記復元機構部は、
前記表示札部を前記収納部に引き入れる弾性体を有することを特徴とする請求項１に記載の表示具。
【請求項４】
前記取付部は、
電気又は光通信用の配線のコネクタ部に取り付けられることを特徴とする請求項１に記載の表示具。
【請求項５】
識別対象となる目的物に取り付けられ、当該目的物の識別標識を表示する表示具において、
前記識別標識を表記される折曲可能な表示札部と、
前記表示札部を前記目的物に取り付ける取付部とを備え、
前記識別標識を表示する場合は、表示する方向に識別標識を向けるように前記表示札部が折り曲げられ、
前記識別標識を表示しない場合は、前記表示札部が前記目的物に沿って伸ばされることを特徴とする表示具。
【請求項６】
配線の識別標識を表示する表示具付きコネクタにおいて、
前記識別標識を表記される表示札部と、
前記表示札部に連結され、当該表示札部に復元力を加える復元機構部と、
前記復元機構部の復元力により、前記表示札部を内部に収納する収納部とを備え、
前記識別標識を表示する場合は、前記表示札部が前記収納部から外部に引き出され、
前記識別標識を表示しない場合は、前記表示札部が前記収納部の内部に収納されることを特徴とする表示具付きコネクタ。
【発明の詳細な説明】
【技術分野】
【０００１】
この発明は、光配線盤に連結される光ファイバコードの用途・接続先などを表示する表示札に適用可能な表示具及び表示具付きコネクタに関する。
【０００２】
詳しくは、復元機構部の復元力により収納部に収納される表示札部を備え、当該表示札部が、識別標識を表示する場合は収納部から外部に引き出され、表示しない場合は収納部の内部に収納されるようにして、識別標識を表示しない通常時において表示札部が邪魔にならないようにすると共に、狭隘な場所に目的物が配された場合に生じる表示具による煩雑さを回避することができるようにしたものである。
【背景技術】
【０００３】
光通信用の配線には、光ファイバコードと呼ばれる、例えば直径２ｍｍの比較的細いコードが用いられることが多く、これらの光ファイバコードのコネクタには、外径８．５ｍｍ程度の小型のコネクタプラグが使用されている場合が多い。
【０００４】
また、これらのコネクタプラグが接続される光ファイバコード用の光配線盤は、光ファイバコードの細さ及びコネクタプラグの小ささを活かして省スペースに貢献するべく、全体的に小さく形成されていることが多くなる。従って、光配線盤における光ファイバコードの配線密度が高くなるとともに、コネクタプラグ間の間隔も狭くなる。
【０００５】
一方、これらの光ファイバコードの配線変更作業における配線の誤認を防止し、作業性を向上する為には、各光ファイバコードに、用途・接続先などを記した表示札を付けることが有効である。
【０００６】
図１３は、光ファイバコードが接続される光配線盤１０１の構成例を示す斜視図である。図１３に示す光配線盤１０１は、複数の光接続ユニット１０２がこの例では横方向に３つ並べられて構成されている。光接続ユニット１０２（図６参照）は、一方の面と、対向する他方の面に、複数のアダプタ１０３を有し、互いに対面する位置のアダプタ１０３に差し込まれた光ファイバコード１００を光通信可能に接合させるものである。
【０００７】
光配線盤１０１には、アダプタ１０３が、例えば３０ｍｍピッチで配置されている。従って、アダプタ１０３に接続された光ファイバコード１００は密集状態となる。このように密集状態となっている光ファイバコード１００に表示札５０を取り付けた場合、表示札５０が互いに重なり合う等して、非常に煩雑となってしまう。
【０００８】
このような光ファイバコード用の表示札に関連して、特許文献１に示すケーブル用識別タグが開示されている。このケーブル用識別タグによれば、識別用の表示部に連結された取付用のスパイラル管を備え、スパイラル管を開いてから螺旋状にケーブルに巻き付けるようにすることにより、ケーブル用識別タグをケーブルの側面方向から取り付けるというものである。これにより、容易に識別用タグをケーブルに取り付けられるようになると共に、スパイラル管をケーブルに取り付ける際に、ケーブルを屈曲させることなくケーブル用識別タグを取り付けられるというものである。
【０００９】
【特許文献１】特開２００４−２９７８４８号公報（第３頁、図１）
【発明の開示】
【発明が解決しようとする課題】
【００１０】
しかし、従来例に係るケーブル用識別タグによれば、ケーブルのコネクタ部ではなく、配線部に取り付けるものであり、識別用タグとコネクタ部との間に所定の距離が生じてしまう。
【００１１】
従って、コネクタ部の用途・接続先を確認する場合には、識別用タグからコネクタ部までをたぐって確認を行う必要があり、その際に他の配線との誤認が生じるおそれがある。また、確認作業に手間が掛かるので、作業効率が下がるおそれがある。
【００１２】
そこで本発明は、上述の問題に鑑み創作されたものであり、配線盤のコネクタ部のように狭隘な場所に表示具を取り付ける場合に、表示具による煩雑さ、及び他の配線との誤認を回避できるようにした表示具及び表示具付きコネクタを提供することを目的とする。
【課題を解決するための手段】
【００１３】
この発明の請求項１に係る表示具は、識別対象となる目的物に取り付けられ、当該目的物の識別標識を表示する表示具において、識別標識を表記される表示札部と、表示札部に連結され、当該表示札部に復元力を加える復元機構部と、復元機構部の復元力により、表示札部を内部に収納する収納部と、収納部を目的物に取り付ける取付部とを備え、識別標識を表示する場合は、表示札部が収納部から外部に引き出され、識別標識を表示しない場合は、表示札部が収納部の内部に収納されることを特徴とするものである。
【００１４】
この発明の請求項１に係る表示具によれば、識別標識を表記される表示札部が、連結される復元機構部の復元力により、収納部に収納されるものである。これにより、識別標識を表示する場合は、表示札部が収納部から外部に引き出され、表示しない場合は、表示札部が収納部の内部に収納される。
【００１５】
従って、識別標識を表示しない通常時において表示札部が邪魔にならないようにできるので、狭隘な場所に目的物が配された場合に生じる表示具による煩雑さを回避することができる。これを、配線盤に連結された配線のコネクタ部に応用した場合、抜き差しする配線の誤認を防止できるとともに、配線変更作業における効率を向上できる。
【００１６】
また、必要な表示札部だけを引き出して確認することができるので、他の表示札部との誤認を防止できる。
【００１７】
この発明の請求項５に係る表示具は、識別対象となる目的物に取り付けられ、当該目的物の識別標識を表示する表示具において、識別標識を表記される折曲可能な表示札部と、表示札部を目的物に取り付ける取付部とを備え、識別標識を表示する場合は、表示する方向に識別標識を向けるように表示札部が折り曲げられ、識別標識を表示しない場合は、表示札部が目的物に沿って伸ばされることを特徴とするものである。
【００１８】
この発明の請求項５に係る表示具によれば、識別標識を表記される折曲可能な表示札部が、識別標識を表示する場合は、表示する方向に識別標識を向けて折り曲げられ、表示しない場合は目的物に沿って伸ばされる。
【００１９】
従って、識別標識を表示しない通常時において表示札部が邪魔にならないようにできるので、狭隘な場所に目的物が配された場合に生じる表示具による煩雑さを回避することができる。
【００２０】
この発明の請求項６に係る表示具付きコネクタは、配線の識別標識を表示する表示具付きコネクタにおいて、識別標識を表記される表示札部と、表示札部に連結され、当該表示札部に復元力を加える復元機構部と、復元機構部の復元力により、表示札部を内部に収納する収納部とを備え、識別標識を表示する場合は、表示札部が収納部から外部に引き出され、識別標識を表示しない場合は、表示札部が収納部の内部に収納されることを特徴とするものである。
【００２１】
この発明の請求項６に係る表示具付きコネクタによれば、識別標識を表記される表示札部が、連結される復元機構部の復元力により、収納部に収納されるものである。これにより、識別標識を表示する場合は、表示札部が収納部から外部に引き出され、表示しない場合は、表示札部が収納部の内部に収納される。
【００２２】
従って、識別標識を表示しない通常時において表示札部が邪魔にならないようにできるので、狭隘な場所に当該コネクタが配された場合に生じる表示具による煩雑さを回避することができる。
【発明の効果】
【００２３】
この発明の請求項１及び請求項６に係る表示具及び表示具付きコネクタによれば、復元機構部の復元力により収納部に収納される表示札部を備え、当該表示札部が、識別標識を表示する場合は収納部から外部に引き出され、表示しない場合は収納部の内部に収納される。この構成により、識別標識を表示しない通常時において表示札部が邪魔にならないようにできるので、狭隘な場所に目的物が配された場合に生じる表示具による煩雑さを回避することができる。
【００２４】
この発明の請求項５に係る表示具によれば、形状変更可能な表示札部を備え、当該表示札部が、識別標識を表示する場合は表示する方向に識別標識を向けて状態を折り曲げられ、表示しない場合は目的物に沿って状態を伸ばされる。この構成により、識別標識を表示しない通常時において表示札部が邪魔にならないようにできるので、狭隘な場所に目的物が配された場合に生じる表示具による煩雑さを回避することができる。
【発明を実施するための最良の形態】
【００２５】
続いて、この発明に係る表示具及び表示具付きコネクタについて、図面を参照しながら説明をする。
【実施例１】
【００２６】
まず、本発明に係る第１の実施例としての巻入式表示具１０の取り付け対象となる光ファイバコード１００について簡単に説明をする。図１は、光ファイバコード１００の構成例を示す斜視図である。図１に示す光ファイバコード１００は、識別対象となる目的物の一例を構成し、光通信用の配線として用いられるものである。光ファイバコード１００は、光コード２及びコネクタプラグ１により構成される。
【００２７】
光コード２は、例えば２ｍｍ程度の比較的細い直径を有し、光信号の伝送経路を構成するものである。光コード２は、例えば直径０．９ｍｍの光ファイバ芯線を、抗張力繊維等で補強し、更にプラスチック樹脂等で被覆するようにして構成される。
【００２８】
光コード２の端部にはコネクタプラグ１が接続されている。コネクタプラグ１は、フェルール３、つまみ４、プラグフレーム５、フード６を備えて構成され、例えば短手方向の外径を８．５ｍｍ、長手方向の外径を５５ｍｍ程度の大きさに形成されている。
【００２９】
光コード２の光ファイバ芯線の端部には、フェルール３が接続され、光信号の送受信部を構成する。フェルール３は、例えばステンレス綱で構成され、入光する光を後段の光コード２に伝送するとともに、光コード２から出光した光を後段の接続先に伝送する。
【００３０】
フェルール３は、プラグフレーム５の内部に納められている。プラグフレーム５は、例えばプラスチックで構成され、フェルール３を外力から保護する。
【００３１】
プラグフレーム５は、更につまみ４内部に納められる。つまみ４は、例えばプラスチックで構成され、滑り止め用の溝部４ａを表面に有し、コネクタプラグ１の抜き差しの際に、把持される部位となる。作業者は、つまみ４の溝部４ａの周辺を、例えば人差し指と親指でつまむことにより、コネクタプラグ１の抜き差しを行う。
【００３２】
つまみ４から外部に出る光コード２は、フード６に被覆されている。フード６は、柔軟性を有する例えばプラスチックで構成され、光コード２に加わる曲げ力及び張力等を緩和する。このようにして、光ファイバコード１００が構成される。光ファイバコード１００のつまみ４には、破線に示すような巻入式表示具１０が連結される。
【００３３】
図２は、本発明に係る巻入式表示具１０の構成例を示す斜視図である。図２に示す巻入式表示具１０は、表示具の一例を構成し、光ファイバコード１００の識別標識を表示するものである。
【００３４】
巻入式表示具１０は、表示札１１、巻入器１２、ケース１３及び取付バンド１４により構成され、識別標識を表示する場合は、表示札１１をケース１３から外部に引き出され、識別標識を表示しない場合は、表示札１１をケース１３の内部に収納されるものである。
【００３５】
表示札１１は、表示札部の一例を構成し、用途や接続先等の識別標識が表記される。表示札１１は、札部１１ａ及びストッパー１１ｂにより構成される。札部１１ａは、充分な引張り強度を有するとともに、柔軟性を有する素材、例えば、合成樹脂フィルムにより、帯状に構成される。札部１１ａの一方の端部には、ストッパー１１ｂが接続される。ストッパー１１ｂは、例えばプラスチックのような素材で、開閉部を有する円筒形状に構成される。ストッパー１１ｂは、札部１１ａの端部を把持する等して札部１１ａに連結され、札部１１ａが完全にケース１３の内部に巻入れられることを防ぐ。
【００３６】
札部１１ａの他方の端部は、巻入器１２に接続される。巻入器１２は、復元機構部の一例を構成し、表示札１１をケース１３に巻入れる為の復元力を加えるものである。
【００３７】
巻入器１２は、主軸１２ａ、巻取筒１２ｄ、固定具１２ｅと、連結具１２ｂ（図３参照）及び捻りコイルスプリング１２ｃ（図３参照）とを備えて構成される。
【００３８】
主軸１２ａは、所定の径を有する棒形状に形成される。主軸１２ａは、例えばプラスチックにより形成され、両端部に連結される固定具１２ｅ１及び１２ｅ２（以下、両者を合わせて固定具１２ｅともよぶ）により、ケース１３の両底面の内側に強固に固定される。
【００３９】
固定具１２ｅは、例えばプラスチックにより、多角形の薄い柱状に形成される。固定具１２ｅは、例えばケース１３両底面の内側に突出する部位、固定爪１３ｂ（固定爪１３ｂ１及び１３ｂ２の両者を指す）に嵌合されて、ケース１３に固定される（図４参照）。
【００４０】
また、主軸１２ａには、コイルスプリング１２ｃの一方の端部が、連結具１２ｂを介して連結されている（図３参照）。
【００４１】
捻りコイルスプリング１２ｃは、表示札１１をケース１３に巻き入れる弾性体（バネ）の一例を構成し、一方の端部に引き出す方向の張力が加えられると、捻られて端部を引き出され、張力から解放されると元の形状に戻る性質を有するものである。コイルスプリング１２ｃには、主軸１２ａを貫通できる内径を有する、例えば金属性のコイルスプリングが用いられる。
【００４２】
捻りコイルスプリング１２ｃの他方の端部は、巻取筒１２ｄに連結される。巻取筒１２ｄは、例えばプラスチックにより、一方の底面、図２においては上方の底面に主軸１２ａを貫通できる開口部１２ｄ１（図３参照）を開口されるとともに、他方の底面、図２では下方の底面を全開口された筒状の容器形状に形成される。捻りコイルスプリング１２ｃの端部は、例えば、巻取筒１２ｄの上面の針孔に通される等して、強固に連結される。このように巻入器１２を構成することにより、巻取筒１２ｄは、主軸１２ａに対して、復元可能に回転するようになる。
【００４３】
巻入器１２の巻取筒１２ｄの外面には、上述の表示札１１が連結される。巻取筒１２ｄは、主軸１２ａを回転軸として復元可能に回転し、表示札１１に張力が加わった時には表示札１１を引き出され、張力から解放された時には表示札１１を巻入れるように動作する。
【００４４】
表示札１１を連結された巻入器１２は、ケース１３の内部に納められる。ケース１３は、収納部の一例を構成し、巻入器１２の復元力により、表示札１１を内部に収納するものである。ケース１３は、この例では、プラスチックにより円筒形状の容器に形成される。この例では、ケース１３は、蓋部１３ｃ及び円筒容器部１３ｄにより構成される。蓋部１３ｃ及び円筒容器部１３ｄの底面の内側には、固定爪１３ｂが突出するように形成される。固定爪１３ｂは、例えば、固定具１２ｅの大きさに合わせた六角形の凹部を中心部に有するように形成される（図４参照）。
【００４５】
ケース１３の側面には、スリット１３ａが開口される。スリット１３ａは、表示札１１を巻出す又は巻入れる為の取り出し口を構成し、上述の札部１１ａの幅よりも大きく、ストッパー１１ｂの幅よりも小さい大きさに開口される。
【００４６】
また、ケース１３の一方の底面には、取付バンド１４が連結される。取付バンド１４は、取付部の一例を構成し、ケース１３を光ファイバコード１００に取り付けるものである。取付バンド１４は、例えば復元力を有するプラスチックにより構成され、図１に示した光ファイバコード１００のコネクタプラグ１を把持するようになされる。
【００４７】
取付バンド１４は、開口部１４ａを開口させて、例えば、図１に示した溝部４ａのような比較的接触抵抗が高い部位を挟むようにして閉口されることにより、巻入式表示具１０をコネクタプラグ１に取り付ける。このようにして、巻入式表示具１０が構成される。以下で、図３〜図５を参照しながら巻入式表示具１０の製造（組立）方法について説明をする。
【００４８】
図３Ａ〜Ｄは、巻入式表示具１０の組立例（その１）を示す断面図である。ここでは、巻入式表示具１０に係る巻入器１２の組立方法について説明をする。巻入器１２を組み立てる場合、まず、図３Ａに示す固定具１２ｅ１を準備する。
【００４９】
固定具１２ｅ１は、主軸１２ａをケース１３の上面に連結させる為のものである。従って、例えば六角形のような多角形状に形成するとよい。固定具１２ｅ１を製造する場合、例えば、外接円の直径が５〜８ｍｍ程度の六角柱状の凹部を有する金型を準備し、プラスチック樹脂を１〜３ｍｍ程度の高さまで流し込んで固めて形成する。また形成された固定具１２ｅの一方の面には、主軸１２ａを嵌め込める円柱状の凹部１２ｅ１１を開口するようにする。
【００５０】
次に、図３Ｂに示す巻取筒１２ｄを準備する。巻取筒１２ｄは、上方の底面に主軸１２ａを貫通できる開口部１２ｄ１を開口されるとともに、下方の底面を全部開口された筒状の容器に形成される。巻取筒１２ｄを製造する場合は、例えば直径６〜８ｍｍの円筒状の凹部を有する金型に、凹部より小さい、例えば直径４〜７ｍｍの円筒状の金型を、底面を１〜２ｍｍ程度浮かせた状態で固定した金型に、例えばプラスチック樹脂を４〜５ｍｍの高さまで流し込んで固めるようにする。またこの時、内側の円筒状の金型の底面に、予め開口部１２ｄ１を象った凸部を形成しておくとよい。
【００５１】
次に、巻取筒１２ｄに納められる、図３Ｃに示す部位を組み立てる。図３Ｃに示す部位は、主軸１２ａ、連結具１２ｂ、捻りコイルスプリング１２ｃ及び固定具１２ｅ２を組み立てることにより形成される。これらを組み立てるには、まず主軸１２ａを準備する。
【００５２】
主軸１２ａは、例えばプラスチックにより、強度を確保できる最小限度の大きさ、この例では直径３〜４ｍｍ程度、高さ５〜６ｍｍ程度の棒形状に形成される。主軸１２ａを製造する場合は、円筒状の凹部を有する金型にプラスチック樹脂を流し込んで形成するようにするとよい。
【００５３】
主軸１２ａの底面部には、固定具１２ｅ２を連結する。固定具１２ｅ２は、図３Ａに示した固定具１２ｅ１と同柱状に形成されるものである。主軸１２ａは、固定具１２ｅ２に形成される凹部１２ｅ２１に嵌め込まれ、例えば強力な接着剤により強固に連結される。またこの固定具１２ｅ２は、予め主軸１２ａと一体化させて作成してもよい。
【００５４】
主軸１２ａには、捻りコイルスプリング１２ｃが、主軸１２ａを貫通するようにして係合される。係合された捻りコイルスプリング１２ｃの一方の端部は、連結具１２ｂを介して主軸１２ａに連結される。捻りコイルスプリング１２ｃのもう一方の端部は、巻取筒１２ｄに強固に連結されるようになる。
【００５５】
連結具１２ｂも所定の金型にプラスチック樹脂又はゴム樹脂等を流し込んで形成するようにするとよい。連結具１２ｂは、例えば、中心部に主軸１２ａを貫通できる孔を開口されたドーナッツ形状に形成する。連結具１２ｂを製造する場合は、円筒状の凹部を有する金型に液化させた用材を流し込んで固めた後、ドリル等で中心部に主軸１２ａを貫通させる円筒状の孔を開口するようにして形成するとよい。
【００５６】
連結具１２ｂは、開口された中心部の孔に主軸１２ａを通して、強力な接着剤等で主軸１２ａに連結される。また連結具１２ｂも、予め主軸１２ａと一体化して作成してもよい。
【００５７】
このようにして図３Ｃの部位を組み立てたら、図３Ｄに示す巻入器１２を組み立てる。図３Ｄに示す巻入器１２を組み立てる場合、まず、図３Ｃの部位を巻取筒１２ｄの底面から入れて、捻りコイルスプリング１２ｃを連結させる。巻取筒１２ｄの上面の所定の部位には、捻りコイルスプリング１２ｃ連結用の針孔が開口され、捻りコイルスプリング１２ｃの一方の端部は、この針孔に差し込んだ後で折り曲げられ、巻取筒１２ｄに強固に連結される。
【００５８】
次に巻取筒１２ｄの開口部１２ｄ１から主軸１２ａの上端部を出して、図３Ａに示した固定具１２ｅ１の凹部１２ｅ１１に嵌め込み、強力な接着剤等で固定する。このようにして巻入器１２を組み立てることができる。
【００５９】
組み立てられた巻入器１２の巻取筒１２ｄには、図３Ｄに破線で示すように、札部１１ａを連結させる。札部１１ａは、合成樹脂フィルムを、この例では、幅３．５ｍｍ、長さ５０ｍｍ〜１００ｍｍ程度の帯状に切る等して形成されるものである。札部１１ａを巻取筒１２ｄに連結するには、札部１１ａの一方の端部を、巻取筒１２ｄの表面に、例えば強力な接着剤で貼り付けるようにする。またこの段階では、札部１１ａの他方の端部にはストッパー１１ｂを連結させないようにする。
【００６０】
このようにして、巻入器１２に係る部位を組み立てることができる。次に、この巻入器１２に係る部位をケース１３に入れて、光ファイバコードに取り付けられる形状に組み立てる方法について説明をする。
【００６１】
図４Ａ〜Ｄは、巻入式表示具１０の組立例（その２）を示す断面図である。ここでは、上述のように組み立てられた巻入器１２に係る部位をケース１３に収納する為、まず、図
４Ａに示す蓋部１３ｃを準備する。
【００６２】
蓋部１３ｃは、この例では、固定爪１３ｂ１を突出させた円盤状に形成される。蓋部１３ｃを製造する場合は、例えば直径１２ｍｍの円筒状の凹部を開口された金型を準備する。この円筒状の凹部の底面には、更に固定爪１３ｂ１を象った凹部を形成するようにする。この金型に、例えば高さ１〜２ｍｍの高さまでプラスチック樹脂を流し込んで固めて、蓋部１３ｃを形成する。
【００６３】
図４Ｂに示す巻入器１２に係る部位は、上面の固定具１２ｅ１を、蓋部１３ｃの固定爪１３ｂ１に嵌め込まれて固定される。また、下面の固定具１２ｅ２は、円筒容器部１３ｄの固定爪１３ｂ２に嵌め込まれるようになる。
【００６４】
図４Ｃの円筒容器部１３ｄは、蓋部１３ｃと同じ大きさ、例えば直径１２ｍｍの円形の底面と、高さ６ｍｍの側面を有する形状に形成される。円筒容器部１３ｄを製造する場合、例えば直径１２ｍｍの円筒状の凹部を開口された金型に、凹部より小さい、例えば直径１０ｍｍの円筒状の金型を、底面を１〜２ｍｍ浮かせた状態で固定させた金型を準備する。この時、内側の円筒状の金型の底面には、固定爪１３ｂ２を象った凹部を形成するようにする。この金型に、例えばプラスチック樹脂を流し込んで固めることにより、円筒容器部１３ｄが形成される。
【００６５】
金型から出した円筒容器部１３ｄの側面には、スリット１３ａを開口する。スリット１３ａは、電動カッター等で、表示札１１の太さよりも多少大きい幅の細長いスリット状に開口される。
【００６６】
円筒容器部１３ｄの底面に連結される図４Ｄに示す取付バンド１４は、例えば強い復元力を有する帯状のプラスチックを曲加工して形成される。取付バンド１４は、この例では取付時に開口部１４ａを有するように形成したが、それに限られることはなく、取付時に両端部を連結させるような形状にしてもよい。また、ゴムのような伸縮性を有する素材で輪形状に形成して、つまみ４に取り付けられるようにしてもよい。もしくは、強力なテープで取付バンド１４を形成して、つまみ４に直接貼り付けるようにしてもよい。
【００６７】
図５は巻入式表示具１０の組立例（その３）を示す断面図である。図５に示す巻入式表示具１０を組み立てる場合、まず、円筒容器部１３ｄに、図４Ｂに示した巻入器１２に係る部位を入れ、底面の固定具１２ｅ２を円筒容器部１３ｄの固定爪１３ｂ２に嵌め込む。この時、強力な接着剤等でより強固に連結させるようにしてもよい。
【００６８】
連結させたら、札部１１ａの解放されている一方の端部をスリット１３ａから外部に引き出して、引き出された端部にストッパー１１ｂを連結させる。この時、張力を外部から加えられない通常状態で、札部１１ａに多少の復元力が加わり、ストッパー１１ｂがスリット１３ａに引きつけられている状態になるように調整するとよい。
【００６９】
次に蓋部１３ｃを円筒容器部１３ｄの上部からかぶせて、例えば接着剤で連結させ、ケース１３を密封する。この時、蓋部１３ｃの固定爪１３ｂ１が巻入器１２の上面の固定具１２ｅ１を嵌め込んで固定するようにする。
【００７０】
最後に、ケース１３の底面に、例えば強力な接着剤により取付バンド１４を連結させる。以上のようにして巻入式表示具１０を組み立てることができる。
【００７１】
図６は、巻入式表示具１０の取付例を示す斜視図である。図６に示す巻入式表示具１０は、光接続ユニット１０２に接続された光ファイバコード１００に取り付けられている。巻入式表示具１０を取り付ける場合、表示札１１のストッパー１１ｂが、光ファイバコード１００の差込方向に対して横方向になるようにすると、光コード２方向に表示札１１を引き出しやすい（破線Ｌ１の方向）。またこの例では、表示札１１の巻入れ方向は、破線Ｌ２に示す方向にするとよい。
【００７２】
図７は、巻入式表示具１０の取扱例を示す斜視図である。図７に示す巻入式表示具１０は、表示札１１がケース１３から引き出された状態を示している。このように、識別標識を表示する時は、表示札１１は、ストッパー１１ｂを把持されてケース１３から引き出される。識別標識を表示しない時は、表示札１１は、ストッパー１１ｂを離されることにより、巻入器１２の復元力によりケース１３内部に巻き入れられる。表示札１１を巻き入れられた通常状態の巻入式表示具１０は、図６に示した状態に戻る。
【００７３】
このように第１の実施例に係る巻入式表示具１０によれば、識別標識を表記される表示札１１が、連結される巻入器１２の復元力により、ケース１３に収納されるものである。これにより、識別標識を表示する場合は、表示札１１がケース１３から外部に引き出され、表示しない場合は、表示札１１がケース１３の内部に収納される。
【００７４】
従って、識別標識を表示しない通常時において表示札１１が邪魔にならないようにできるので、狭隘な場所に目的物が配された場合に生じる表示具による煩雑さを回避することができる。これを、光配線盤に連結された光ファイバコード１００のコネクタプラグ１に応用した場合、抜き差しする光コード２の誤認を防止できるとともに、配線変更作業における効率を向上できる。また必要な表示札１１だけを引き出して確認することができるので、他の表示札１１との誤認を防止できる。
【００７５】
またこの例では、巻き取り用のバネとして、捻りコイルスプリング１２ｃを使用するようにしたが、これに限られることはなく、螺旋状に巻かれた渦巻きバネを使用するようにしてもよい。図３に示した巻入器１２に渦巻きバネを連結させる場合は、渦巻きバネの内側の端部を、例えば強力な接着剤で主軸１２ａの側面に連結し、渦巻きバネの外側の端部を、巻取筒１２ｄの内側面に強固に連結するようにするとよい。このように渦巻きバネを用いることにより、巻入式表示具１０の薄型化を実現できる。
【００７６】
また、巻き取り用の弾性体として、バネに換えてゴムのようなものを使用してもよい。ゴムを使用することにより、軽量化、低コスト化が実現できる。
【００７７】
また、巻取筒１２ｄの回転を停止できる固定機構を、巻入器１２に形成し、当該固定機構を、ケース１３の側面の例えばボタンのような操作手段により操作できるようにしてもよい。このように構成することにより、表示札１１が引き出された状態に固定できるようになるので、作業に必要な複数の表示札１１を参照しながら、配線作業を行うことができるようになる。
【実施例２】
【００７８】
図８は、本発明に係る第２の実施例としての引入式表示具２０の構成例を示す斜視図である。図８に示す引入式表示具２０は、表示具の一例を構成し、光ファイバコード１００のつまみ４に取り付けられるものである。
【００７９】
引入式表示具２０は、表示札２１、引入器２２、ケース２３及び取付バンド２４により構成され、識別標識を表示する場合は、表示札２１がケース２３から外部に引き出され、識別標識を表示しない場合は、表示札２１がケース２３の内部に収納されるものである。
【００８０】
表示札２１は、表示札部の一例を構成し、用途や接続先等の識別標識を表記される。表示札２１は、札部２１ａ及びストッパー２１ｂにより構成される。札部２１ａは、充分な引張り強度を有するとともに、柔軟性を有する素材、例えば、合成樹脂フィルムにより帯状に形成される。
【００８１】
札部２１ａの一方の端部には、ストッパー２１ｂが接続される。ストッパー２１ｂは、例えばプラスチックのような素材で例えば開閉部を有する円筒形状に構成され、札部２１ａの端部を把持する等して札部２１ａに連結され、札部２１ａが完全にケース２３の内部に引き入れられることを防ぐ。札部２１ａの他方の端部には、孔部２１ａ１が開口されている。
【００８２】
札部２１ａには、引入器２２が接続される。引入器２２は、復元機構部の一例を構成し、表示札２１をケース２３に引き入れる為の復元力を加えるものである。
【００８３】
引入器２２は、コイルスプリング２２ｃ及び連結具２２ｂを備えて構成される。連結具２２ｂは、札部２１ａの端部を把持して補強するようになされる。連結具２２ｂは、例えば金属製の強力なクリップのように形成され、札部２１ａの端部を把持して固定するものである。連結具２２ｂには、把持した札部２１ａの孔部２１ａ１と重なり合う位置に孔部２２ｂ１が開口される。孔部２１ａ１及び孔部２２ｂ１にはコイルスプリング２２ｃの一方の端部が挿入された後、折り曲げられて連結される。
【００８４】
コイルスプリング２２ｃは、表示札２１をケース２３に引き入れるバネの一例を構成し、一方の端部に引き出す方向の張力が加えられると、伸びて端部を引き出され、張力から解放されると元の形状に戻る性質を有する。コイルスプリング２２ｃには、例えば金属性のコイルスプリングが用いられる。
【００８５】
コイルスプリング２２ｃのもう一方の端部は、ケース２３の内部に納められて固定される。ケース２３は、収納部の一例を構成し、引入器２２の復元力により、表示札２１を内部に収納するものである。ケース２３は、この例では、プラスチックにより表示札２１を収納できる長さを有する略円筒形状の容器に形成される。ケース２３は、挿入部２３ａからコイルスプリング２２ｃが納められる位置までの部位は円筒形状に形成されるが、取付バンド２４への取付部２３ｂ周辺においては平形状につぶされたような形状に形成される。
【００８６】
取付部２３ｂには、コイルスプリング２２ｃを固定する為の孔部２３ｃが開口される。ケース２３の内部に納められたコイルスプリング２２ｃの一方の端部は孔部２３ｃから挿入される固定ピン２７により固定される。
【００８７】
ケース２３の取付部２３ｂには、取付バンド２４が連結される。取付バンド２４は、取付部の一例を構成し、ケース２３を光ファイバコード１００に取り付けるものである。取付バンド２４は、例えばプラスチックにより構成され、光ファイバコード１００のコネクタプラグ１を把持するようになされる。このようにして、引入式表示具２０が構成される。以下で、引入式表示具２０の（製造）組立方法について説明をする。
【００８８】
図９は、引入式表示具２０の組立例を示す斜視図である。図９に示すようにして引入式表示具２０を製造する（組み立てる）場合、まず、表示札２１を準備する。
【００８９】
表示札２１の札部２１ａは、例えば、合成樹脂フィルムを幅３．５ｍｍ、長さ５０ｍｍ〜１００ｍｍ程度の帯状に切る等して形成される。札部２１ａの一方の端部には、ストッパー２１ｂを連結する。ストッパー２１ｂは、例えばプラスチックにより、ケース２３の挿入部２３ａに入り込まない大きさ又は形状に形成されている。札部２１ａの他方の端部には、コイルスプリング２２ｃを連結する為の孔部２１ａ１を開口する。表示札２１の孔部２１ａ１を開口した端部には連結具２２ｂを連結する。
【００９０】
連結具２２ｂは、例えば金属により開閉可能な形状に形成される。連結具２２ｂの開閉時の接合部には、札部２１ａを確実に把持できるように、噛み込み爪を形成するとよい。もしくは、連結具２２ｂで札部２１ａを把持する際に、接合面を強力な接着剤で連結するようにしてもよい。連結具２２ｂには、孔部２１ａ１と重なる位置に孔部２２ｂ１を開口する。孔部２２ｂ１には、コイルスプリング２２ｃの一方の端部を挿入する。
【００９１】
コイルスプリング２２ｃには、例えば金属製のコイルスプリングが用いられる。コイルスプリング２２ｃには、充分な伸縮性と復元力を有するバネを使用するようにする。コイルスプリング２２ｃの他方の端部は、ケース２３の取付部２３ｂに連結させる。
【００９２】
ケース２３は、例えばプラスチックにより、略円筒形状に形成される。ケース２３を製造する場合は、適度な硬度を有する、例えば内径４〜５ｍｍのプラスチック管を、表示札２１及びコイルスプリング２２ｃを納められる長さ、例えば６０〜１１０ｍｍに切って、一方の端部の対向する２つの面に孔部２３ｃを貫通開口するようにする。
【００９３】
ケース２３の取付部２３ｂにコイルスプリング２２ｃの端部を連結するには、開口された孔部２３ｃから固定ピン２７を挿入して、ケース２３内部でコイルスプリング２２ｃを引っ掛けるようにして固定し、ケース２３の対向する面の孔部２３ｃからケース２３外に固定ピン２７を出してから端部を折り曲げるようにするとよい。こうすることにより、コイルスプリング２２ｃの端部を固定できるとともに、取付部２３ｂのつぶれたような形状を形成することができる。
【００９４】
形成された取付部２３ｂには、強力な接着剤により取付バンド２４を連結する。また、取付バンド２４にも孔部を開口し、固定ピン２７を挿入して、取付部２３ｂと取付バンド２４とを固定するようにしてもよい。こうすると、ケース２３と取付バンド２４とを、より強固に連結することができる。このようにして、引入式表示具２０を組み立てることができる。
【００９５】
組み立てられた引入式表示具２０は、図８の二点鎖線に示したようにして、識別標識を表示する時は、表示札２１が、ストッパー２１ｂを把持されてケース２３から引き出される。識別標識を表示しない時は、表示札２１が、ストッパー２１ｂを解放されることにより、引入器２２の復元力でケース２３内部に引き入れられる。表示札２１を引き入れられた通常状態の引入式表示具２０は、図８に実線で示した状態に戻る。
【００９６】
このように、第２の実施例に係る引入式表示具２０によれば、識別標識を表記される表示札２１が、連結される引入器２２の復元力により、ケース２３に収納されるものである。
【００９７】
従って、識別標識を表示しない通常時において表示札２１が邪魔にならないようにできるので、狭隘な場所にコネクタプラグ１が配された場合に生じる表示具による煩雑さを回避することができる。また、ケース２３がコネクタプラグ１に沿うように配置されるので、コネクタプラグ１の取付時の厚みの上昇を最小限に抑えられる。
【実施例３】
【００９８】
図１０は、本発明に係る第３の実施例としての表示具付きコネクタプラグ３０の構成例を示す斜視図である。図１０に示す表示具付きコネクタプラグ３０は、表示具付きコネクタの一例を構成し、連結される配線（光コード２）の識別標識を表示するものである。
【００９９】
表示具付きコネクタプラグ３０は、図１に示したコネクタプラグ１と巻入式表示具とが一体化されて構成されるものであり、コネクタプラグとしての構成部材に加え、表示札３１、巻入器３２、ケース３３を備えて構成される。表示具付きコネクタ３０は、識別標識を表示する場合は、表示札３１をケース３３から外部に引き出され、識別標識を表示しない場合は、表示札３１をケース３３の内部に収納されるものである。
【０１００】
表示札３１は、表示札部の一例を構成し、用途や接続先等の識別標識を表記される。表示札３１は、札部３１ａ及びストッパー３１ｂにより構成される。札部３１ａのストッパー３１ｂが連結されない方の端部は、巻入器３２に接続される（図１１参照）。
【０１０１】
巻入器３２は、復元機構部の一例を構成し、表示札３１をケース３３に巻入れる為の復元力を加えるものである。
【０１０２】
巻入器３２は、主軸３２ａ、巻取筒３２ｄ、固定具３２ｅ、連結具３２ｂ及び捻りコイルスプリング３２ｃを備えて構成される（図１１参照）。巻入器３２は、図３に示した巻入器１２の中心部に、コード２を挿入できる孔部を開口された形状に構成される。
【０１０３】
主軸３２ａは、中心部に光コード２を貫通できる孔を開口された棒形状に形成される。主軸３２ａは、例えばプラスチックにより形成され、両端部に連結される固定具３２ｅにより、ケース３３の両底面の内側に強固に固定される。
【０１０４】
固定具３２ｅは、例えばプラスチックにより、中心部に光コード２を貫通できる孔を開口された多角形の薄い柱状に形成される。固定具３２ｅは、例えばケース３３両底面の内側に突出する部位、固定爪３３ｂに嵌合されて、ケース３３に固定される。このようにして巻入器３２が構成される。なお、巻入器３２のその他の部材は、図３において説明した同名の部材と同じ構成であるので、ここでは詳細は割愛する。
【０１０５】
ケース３３の一方の底面は、フード３６に連結される。フード３６は、柔軟性を有する例えばプラスチックで構成され、光コード２に加わる曲げ力及び張力等を緩和するものである。このようにして、表示具付きコネクタ３０が構成される。以下で、表示具付きコネクタプラグ３０の組立（製造）方法について説明をする。
【０１０６】
図１１は、表示具付きコネクタプラグ３０の組立例を示す断面図である。表示具付きコネクタプラグ３０を製造する（組み立てる）場合、まず、蓋部３３ｃを準備する。蓋部３３ｃを製造する場合は、図４Ａに示した蓋部１３ｃの金型と同様の金型に、例えばプラスチック樹脂を流し込んで固めた部材の中心部に、孔部３３ｃ３を開口すればよい。同様に、円筒容器部３３ｄを製造する場合は、図４Ｃに示した円筒容器部１３ｄの金型と同様の金型に、プラスチック樹脂を流し込んで固めた部材の中心部に、孔部３３ｄ３を開口すればよい。
【０１０７】
次に、巻入器３２を製造するには、図３に示した巻入器１２と同様の手順で組み立てるようにするが、この時、上述のように、主軸３２ａ及び固定具３２ｅの中心部には、光コード２を貫通できる孔部３２ａ３及び３２ｅ３を開口するようにする。
【０１０８】
上述のような部材を準備したら、それぞれの光コード２用に開口した孔部が同一線上になるように組み立てる。組み立てるには、まず、円筒容器部３３ｄの固定爪３３ｂに巻入器３２の固定具３２ｅを固定し、札部３１ａをスリット３３ａから外部に引き出して、ストッパー３１ｂを連結する。
【０１０９】
次に上面から蓋部３３ｃを連結させて固定する。次にフード３６を円筒容器部３３ｄの底面に、強力な接着剤で固定する。フード３６には、光コード２を貫通させる孔部３６ａが開口される。最後に、光コード２を各部材の孔部に貫通させ、コネクタプラグのつまみ４の下方から挿入して、端部には、図１に示したフェルール３に連結させる。このようにして、表示具付きコネクタプラグ３０を製造する（組み立てる）ことができる。
【０１１０】
組み立てられた表示具付きコネクタプラグ３０は、図１０の二点鎖線に示したようにして、識別標識を表示する時は、表示札３１が、ストッパー３１ｂを把持されてケース３３から引き出される。識別標識を表示しない時は、表示札３１は、ストッパー３１ｂを離されることにより、巻入器３２の復元力によりケース３３内部に引き入れられる。表示札３１を引き入れられた通常状態の表示具付きコネクタ３０は、図１０に実線で示した状態に戻る。
【０１１１】
このように、第３の実施例に係る表示具付きコネクタプラグ３０によれば、識別標識を表記される表示札３１が、連結される巻入器３２の復元力により、ケース３３に収納されるものである。
【０１１２】
従って、識別標識を表示しない通常時において表示札３１が邪魔にならないようにできるので、狭隘な場所に表示具付きコネクタ３０が配された場合に生じる表示具による煩雑さを回避することができる。また、ケース３３がフード３６と一体化して製造される（組み立てられる）ので、表示具付きコネクタプラグ３０の大きさへの影響を最小限に抑えられる。
【実施例４】
【０１１３】
図１２は、本発明に係る第４の実施例としての折曲式表示具４０の構成例を示す斜視図である。図１２に示す折曲式表示具４０は、表示具の一例を構成し、光ファイバコード１００のつまみ４に取り付けられるものである。
【０１１４】
折曲式表示具４０は、表示札４１、取付バンド４４により構成され、識別標識を表示する場合は、表示する方向に識別標識を向けるように表示札４１が折り曲げられ、識別標識を表示しない場合は、表示札４１がコネクタプラグ１に沿って伸ばされるものである。
【０１１５】
表示札４１は、折曲可能な表示札部の一例を構成し、用途や接続先等の識別標識を表記される。表示札４１は、例えば、復元力を有するプラスチック製の板バネにより構成され、外力が加わった間は状態を折り曲げられ、外力から解放されると直線状に戻るようになされる。
【０１１６】
図１２に示す折曲式表示具４０を製造する（組み立てる）場合、まず、表示札４１を準備する。表示札４１には、例えば幅１０ｍｍ、長さ３０〜６０ｍｍ程度のプラスチック製の板バネを使用する。表示札４１の一方の端部には、例えば孔部を開口する。
【０１１７】
表示札４１は、実施例１の取付バンド１４と同様に形成された取付バンド４４に連結する。表示札４１は、例えば固定ピン４７により、取付バンド４４に連結する。このようにして、折曲式表示具４０を製造する（組み立てる）ことができる。
【０１１８】
このように第４の実施例に係る折曲式表示具４０によれば、識別標識を表記される折曲可能な表示札４１が、識別標識を表示する場合は、表示する方向に識別標識を向けて折り曲げられ、表示しない場合はコネクタプラグ１に沿って伸ばされる。
【０１１９】
従って、識別標識を表示しない通常時において表示札４１が邪魔にならないようにできるので、狭隘な場所にコネクタプラグ１が配された場合に生じる表示具による煩雑さを回避することができる。
【産業上の利用可能性】
【０１２０】
この発明は、光配線盤に連結される光ファイバコードの用途・接続先などを表示する表示札に適用して極めて好適である。
【図面の簡単な説明】
【０１２１】
【図１】第１の実施例としての光ファイバコード１００の構成例を示す斜視図である。
【図２】巻入式表示具１０の構成例を示す斜視図である。
【図３】（Ａ）〜（Ｄ）は、巻入式表示具１０の組立例（その１）を示す断面図である。
【図４】（Ａ）〜（Ｄ）は、巻入式表示具１０の組立例（その２）を示す断面図である。
【図５】巻入式表示具１０の組立例（その３）を示す断面図である。
【図６】巻入式表示具１０の取付例を示す斜視図である。
【図７】巻入式表示具１０の取扱例を示す斜視図である。
【図８】第２の実施例としての引入式表示具２０の構成例を示す斜視図である。
【図９】引入式表示具２０の組立例を示す斜視図である。
【図１０】第３の実施例としての表示具付きコネクタプラグ３０の構成例を示す斜視図である。
【図１１】表示具付きコネクタプラグ３０の組立例を示す断面図である。
【図１２】第４の実施例としての折曲式表示具４０の構成例を示す斜視図である。
【図１３】光配線盤１０１の構成例を示す斜視図である。
【符号の説明】
【０１２２】
１・・・コネクタプラグ、２・・・光コード、３・・・フェルール、４・・・つまみ、５・・・プラグフレーム、６・・・フード、１０・・・巻入式表示具、１１・・・表示札、１２・・・巻入器、１３・・・ケース、１４・・・取付バンド、２０・・・引入式表示具、３０・・・表示具付きコネクタプラグ、４０・・・折曲式表示具
【図１】
2008164829.tif 000003
【図２】
2008164829.tif 000004
【図３】
2008164829.tif 000005
【図４】
2008164829.tif 000006
【図５】
2008164829.tif 000007
【図６】
2008164829.tif 000008
【図７】
2008164829.tif 000009
【図８】
2008164829.tif 000010
【図９】
2008164829.tif 000011
【図１０】
2008164829.tif 000012
【図１１】
2008164829.tif 000013
【図１２】
2008164829.tif 000014
【図１３】
2008164829.tif 000015